(57)【要約】      （修正有）【課題】より理想的で実用性のあるオリジナルなコーヒーフィルターを提供する。【解決手段】ステンレスシートで漏斗状に作られた本体１、内層部２を備えてなり、本体１の側壁１２には、エッチング技術で設けられた複数の第一孔部１２１があり、内層部２は、本体１の側壁１２の内側に固定され、内層部２には、本体１の側壁１２にある第一孔部１２１より直径が小さく設けられる第二孔部２１があり、内層部２と本体１の側壁１２によって、液体が通る二層壁構造をなし、内層部２にある微細な第二孔部２１で、コーヒーのカスや異物などがトリッパーの側壁から流出されることを完全に防ぐことができるから、淹れたコーヒーがもっとピュアで、味わいが更によくなることを特徴とするコーヒーフィルターである。【選択図】図１
0003204720.tif 000002
【実用新案登録請求の範囲】
【請求項１】
ステンレスシートで漏斗状に作られ、内部空間のある側壁を有する本体が備わり、前記側壁には、エッチング技術で貫通された複数の第一孔部が設けられ、前記本体の前記側壁の内側の漏斗状輪郭に合わせて設けられた内層部が備わり、該内層部は、前記側壁の内側に固定され、複数の第二孔部があり、該第二孔部の直径は、前記第一孔部の直径より小さく設けられ、前記内層部と前記本体の前記側壁によって、液体が通る二層壁構造をなしていることを特徴とする、コーヒーフィルター。
【請求項２】
前記内層部は、細いステンレス線で織り込まれたメッシュであり、前記細いステンレス線間の極細の網目によって、前記第二孔部が形成されることを特徴とする、請求項１に記載のコーヒーフィルター。
【請求項３】
前記本体の漏斗状の底端には更に、盤状体が接合され、該盤状体には、液体が通るドリップ孔が設けられていることを特徴とする、請求項２に記載のコーヒーフィルター。
【請求項４】
前記ドリップ孔の周りは更に、錐状環面と前記盤状体によって、接合するように設けられていることを特徴とする、請求項３に記載のコーヒーフィルター。
【考案の詳細な説明】
【技術分野】
【０００１】
本考案は、コーヒーを淹れるための器具構造に関し、特に、カップの上に載せ、そこへお湯を入れて、ドリップ式コーヒー液を抽出するためのコーヒーフィルターに関する。
【背景技術】
【０００２】
現在、家でコーヒーを淹れるとき、インスタント式、ハンドドリップ式と沸かし式の三タイプに大別される。インスタント式コーヒーとは主に、インスタントコーヒー、粉ミルクと砂糖の三つを含む粉末（俗称、スリーインワンコーヒー）をカップの中に入れて、お湯を入れてかき混ぜたもので、このようなコーヒーは比較的、コーヒーのまろやかさや香りを引き出せないものである。沸かし式コーヒーは、コーヒーメーカーで淹れることで、コーヒーメーカーは機能や専門化により異なり、価格も大きく異なるもので、淹れられたコーヒーの味わいも異なり、普及される一般的なコーヒーメーカーは普通に使用されている機種だが、一般的なコーヒーメーカーは使用の時、手順が多く、それに、使用後の洗浄も面倒なので、コーヒーメーカーの使用を好まない人もいる。
【０００３】
ドリップ式コーヒーは、コーヒーメーカーとインスタント式コーヒーの間に選択できるもので、円錐形のコーヒードリッパーを使用するのが特徴で、該コーヒードリッパーの底部または周りの側壁に穴があり、使用の時、コーヒードリッパーをカップの上に載せ、コーヒードリッパーの中に紙フィルターを入れ、挽きコーヒー粉を入れて、沸騰したお湯を、コーヒードリッパーにある紙フィルターのほうへ注ぎ、コーヒー粉がゆっくりと吸い込んで、コーヒー液が紙フィルターを通り、サーバーの底部や側壁の穴を通って、カップのほうへ落ち、即ち、やっと、こくのある芳醇なコーヒー抽出液のドリップ式コーヒーが出来上がる。
【０００４】
もう一つのドリップ式ドリッパーは、薄いシート状のステンレスに、エッチング技術で複数の極細穴を設け、それから、ステンレスシートを円錐状漏斗形にしてなるものであり、使用の時、コーヒー粉をコーヒードリッパーの中に直接入れ、コーヒー粉の上にお湯をゆっくりと注いで、ドリーパーの穴からコーヒー抽出液がカップのほうへ落ちることになっている。
【０００５】
上述したような、エッチングで形成された複数の極細穴のコーヒードリッパーでは、ある程度、カスや異物などを濾す機能を有するものだが、エッチング技術の実務的な限界があり、形成された穴を更に微細化することができないから、それより細かいコーヒーのカスや異物などがある場合、それを濾すことができないのである。
【０００６】
それゆえ、上述したような従来の技術に存在する問題点について、どのように、より理想的で実用性のあるオリジナルなものを開発するのかが、関連業者が更に努力して開発する目標と方向であり、それに鑑みて、考案者は関連製品の製造開発や設計に携わる長年の経験を持っており、上述した目標について、詳しく設計を行い、慎重に評価したうえ、ようやく実用性のある本考案を得られたわけである。
【考案の概要】
【考案が解決しようとする課題】
【０００７】
本考案は、コーヒーフィルターを提供することを目的とし、解決しようとする技術課題は、より理想的で実用性のあるオリジナルなコーヒーフィルターを開発することにある。
【課題を解決するための手段】
【０００８】
本考案の解決しようとする技術特徴として、本考案は、ステンレスシートで漏斗状に作られ、内部空間の側壁を有する本体が備わり、側壁には、エッチング技術で貫通された複数の第一孔部が設けられ、本体の側壁内側の漏斗状輪郭に合わせて設けられた内層部が備わり、内層部は、側壁の内側に固定され、複数の第二孔部があり、第二孔部は第一孔部より直径が小さく設けられ、内層部と本体の側壁によって、液体が通る二層壁構造をなしていることを特徴とするコーヒーフィルターを提供する。
【０００９】
本考案の主な効果と長所と言えば、内層部と本体の側壁によって、液体が通る二層壁構造をなし、内層部にある微細な第二孔部で、コーヒーを淹れたとき、コーヒーのカスや異物などがトリッパーの側壁から流出されることを完全に防ぐことができるから、淹れたコーヒーがもっとピュアで、味わいが更によくなるという実用性と進歩性があることである。
【考案の効果】
【００１０】
本考案に掲示された「コーヒーフィルター」は、第一孔部を有する本体、第二孔部を有する内層部、及び第二孔部の直径を第一孔部の直径より小さく設けるというオリジナルな構造形態と技術特徴により、本考案は上記背景技術に述べられた従来の構造に対して、内層部と本体の側壁によって、液体が通る二層壁構造をなし、内層部にある微細な第二孔部で、コーヒーのカスや異物などがトリッパーの側壁から流出されることを完全に防ぐことができるから、淹れたコーヒーがもっとピュアで、味わいが更によくなるという実用性と進歩性がある。
【図面の簡単な説明】
【００１１】
【図１】本考案のコーヒーフィルター構造の好適な実施例の立体図。
【図２】本考案のコーヒーフィルター構造の好適な実施例の側面図。
【図３】図２の部位Ｂの拡大図。
【図４】本考案のコーヒーフィルター構造の好適な実施例の部分断面拡大図。
【図５】本考案のコーヒーフィルターの使用状態イメージ。
【図６】本考案のコーヒーフィルター構造のもう一つの実施例立体図。
【図７】図６に掲示された実施例の使用状態イメージ。
【考案を実施するための形態】
【００１２】
図１〜図４に示すのは、本考案のコーヒーフィルターの好適な実施例だが、これらの実施例は説明のみに用いられるもので、実用新案出願の際、それらの構造に制限されないものとする。
【００１３】
図１、図２に示すように、本考案のコーヒーフィルターの構造は主に、本体１と内層部２を備えてなり、本体１は円環枠部１１があり、円環枠部１１の内径は、錐状体の側壁１２に接合しており、円環枠部１１は、ステンレスの金属材料で作られ、側壁１２は好適な実施例として、ステンレスシートで漏斗状に作られ、内部空間があるものであり、側壁１２は、錐状体に成形される前、まず、化学エッチング技術で貫通された複数の第一孔部１２１（詳しくは図３に示す）が作られ、第一孔部１２１は側壁１２に、肉眼で識別できないぐらい密集的に分布され、液体が通るように供されており、言い換えれば、液体が第一孔部１２１を通ってドリップする。
【００１４】
本考案の内層部２は、好適な実施例として、本体１の側壁１２内側の漏斗状輪郭に合わせて設けられ、そして、側壁１２の内側に固定されており、内層部２には、図４に示すように、複数の第二孔部２１があり、第二孔部２１の直径（Ｗ１）は本体１の第一孔部１２１の直径（Ｗ２）より小さく設けられ、内層部２と本体１の側壁１２によって、液体が通る二層壁構造をなしており、第二孔部２１の直径を第一孔部１２１の直径より小さくさせるように、本考案の好適な実施例として、ステンレスの引き伸ばされた極細線で、複数の第二孔部２１の内層部２に設け、即ち、複数の第二孔部２１による極細の網目のメッシュが設けられている。
【００１５】
本考案の内層部２は、細いステンレス線で織り込まれたメッシュに設けられるが、細いステンレス線間の極細の網目によって、第二孔部２１（図４）が形成され、即ち、編み技術で、ステンレス線を、極細の網目の金属面に編み込んで、内層部２に充分な可撓性と弾性を持たせ、液体が通るように設けられ、本体１の側壁１２より細かく濾すという性質を有し、紙フィルターの代わりに、コーヒー液をよりよく濾すように設けられており、内層部２の外側の本体１は、比較的剛性の高い構造で、内層部２の変形や損壊などを有効に防ぐことができる。
【００１６】
前述した本考案に掲示されたコーヒーフィルター構造は、使用の時、図５に示すように、本体１をカップ３の上に直接載せ、円環枠部１１がカップの開口部に支えられ、挽かれたコーヒー粉を本体１の中へ直接入れ、本体１内のほうへお湯をゆっくりと注ぎ、お湯がゆっくりとコーヒー粉に吸い込まれ、それから、抽出されたコーヒー液が、更に第二孔部２１（図４）から第一孔部１２１を経て、カップ３のほうへ落ちることになっており、非常に細かく設けられる内層部２の第二孔部２１がコーヒーのカスや異物などを全て止めるように設けられるので、カップ内のコーヒーがよりピュアで、味わいも更によくなる。
【００１７】
図６に示すように、本体１の漏斗状の底端には更に、盤状体４が接合され、盤状体４には、液体が通るドリップ孔４１が設けられ、本実施例の盤状体４は、既有のカップ３の開口部を跨り（図７）、本体１全体がカップの開口部の上に上げ、カップ３内の空間を影響しないように設けられることを設置の目的とし、本実施例では、ドリップ孔４１の周りは更に、錐状環面４２と盤状体４によって、接合するように設けられ、錐状環面４２は、ドリップされたコーヒー液を内側へ集中して流させるという効果がある。
【符号の説明】
【００１８】
１      本体
１１    円環枠部
１２    側壁
１２１  第一孔部
２      内層部
２１    第二孔部
３      カップ
４      盤状体
４１    ドリップ孔
４２    錐状環面
【図１】
0003204720.tif 000003
【図２】
0003204720.tif 000004
【図３】
0003204720.tif 000005
【図４】
0003204720.tif 000006
【図５】
0003204720.tif 000007
【図６】
0003204720.tif 000008
【図７】
0003204720.tif 000009